(57)【要約】【課題】 既設のモルタル吹付けの老朽化対策工事において、産業廃棄物の排出を極力少なくするためにモルタルを剥ぎ取ることなく、安全かつ確実に既設のモルタル等の滑落を防止でき、地山の風化の進行も防止する工法を提供する。【解決手段】既設のモルタル面に一体形成された連続繊維を格子状に配置して、既設のモルタル面上に、その一体形成された連続繊維を包み込むようにして新たにモルタル吹付工を行うものとする。【選択図】 図３
2009228211.tif 000002
【特許請求の範囲】
【請求項１】
道路や宅地の法面にて施工された既設のモルタル吹付けの老朽化に伴う崩壊を防止するモルタル補強工法において、既設のモルタル面にひし形金網を設置するラス張り工程と、ひし形金網を設置した既設のモルタル面に一体形成された連続繊維を格子状に配置する連続繊維配置工程と、格子状に配置した連続繊維を固定するためのアンカーを設置するアンカー設置工程と、前記工程を終えた既設のモルタル面に新たなモルタルを吹付けるモルタル吹付け工程を有することを特徴とするモルタル補強工法。
【発明の詳細な説明】
【技術分野】
【０００１】
本発明は、道路や宅地の法面にて施工された既設のモルタル吹付けの老朽化に伴う崩壊を防止するため、老朽化したモルタル吹付け面を剥ぎ取ることなく、その上からひし形金網を設置した上で、抑制効果のある連続繊維を格子状に設置し、アンカーにて固定した状態で、新たなモルタルの吹付けを行うモルタル補強工法に関するものである。
【背景技術】
【０００２】
従来施工されてきたモルタル吹付け工法は、長年にわたる紫外線や雨水等の影響により劣化が進行し、さらに温度変化等によるモルタルの収縮、膨張の繰り返し作用と合わせてモルタル面の亀裂が進行しているものが多く、本来の目的である地山の風化防止という効果がなくなっている場合が多い。
【０００３】
その状態のものをそのまま放置した場合、モルタルそのものが剥がれ落ちるだけでなく地山の風化を進行させてしまい、斜面の崩壊を引き起こしてしまう危険性が高くなる。
【０００４】
そのため、モルタル吹付け工法のやり直し施工を行うと、剥ぎ取りのための仮設防護柵の設置による長期的な交通規制や産業廃棄物の処理という問題が発生してしまう。
【０００５】
そこで既設のモルタル層を剥がずに補修する手段が提案されている。（特許文献１）
【特許文献１】特許公開２００５−３６５７９
【発明の開示】
【発明が解決しようとする課題】
【０００６】
この既存モルタル吹付施工箇所の補修工法では、既設のモルタル吹付け面の上からモルタルにビニロン繊維を混入させると共に、接着液を添加した繊維モルタルを接着剤塗布面に所定の厚さで吹付けて被覆層を形成する工法であるが、本来モルタル吹付け工法そのものが表層の風化防止を目的とした安全性が計算上成り立たたない工法であるため、地山が風化していることで表層崩壊の可能性がある場合やモルタルが滑落する危険性のある場合などではそれらの危険性を確実に排除する必要がある。
【０００７】
しかし、老朽化したモルタル面には多数のクラックが入っている場合が多く、その補修は困難であることなどからモルタル層が部分的に滑落する可能性が残った状態のまま施工することとなる。
【０００８】
つぎに、老朽化してクラックが多く入ったモルタル吹付け工法の背面にある地山は、そのクラックから多くの雨水が浸入していることが推測されるため、地山は少なくともモルタル吹付け工法を施工した当初よりも風化が進行していると考えられ、表層崩壊の可能性もあるといえる。つまり、剥ぎ取りを行わない場合の殆どが推測となるため、その補修方法に安全性が計算上成り立たない工法を用いることは問題がある。
【課題を解決するための手段】
【０００９】
そこで、請求項１に係る本発明では、道路や宅地の法面にて施工された既設のモルタル吹付けの老朽化に伴う崩壊を防止するモルタル補強工法において、既設のモルタル面にひし形金網を設置するラス張り工程と、ひし形金網を設置した既設のモルタル面に一体形成された連続繊維を格子状に配置する連続繊維配置工程と、格子状に配置した連続繊維を固定するためのアンカーを設置するアンカー設置工程と、前記工程を終えた既設のモルタル面に新たなモルタルを吹付けるモルタル吹付け工程を有することを特徴とする。
【発明の効果】
【００１０】
本発明によれば、以下に記載するような効果が生起される。すなわち、請求項１に係る本発明では、道路や宅地の法面にて施工された既設のモルタル吹付けの老朽化に伴う崩壊を防止するモルタル補強工法において、既設のモルタル面にひし形金網を設置するラス張り工程と、ひし形金網を設置した既設のモルタル面に一体形成された連続繊維を格子状に配置する連続繊維配置工程と、格子状に配置した連続繊維を固定するためのアンカーを設置するアンカー設置工程と、前記工程を終えた既設のモルタル面に新たなモルタルを吹付けるモルタル吹付け工程を有することを特徴とするため、老朽化した既設のモルタル吹付け面を剥ぎ取ることなく、その上から抑制効果の高い連続繊維を設置した上で新たなモルタルを吹付けることができるものとなる。つまり、剥ぎ取りが必要と考えられる不安定化したモルタルは抑制効果の高い連続繊維によって安定すること。また、設置された連続繊維は新たに吹付けるモルタルによって覆われることで劣化の進行は大幅に速度が遅くなること。さらに吹付けられたモルタルにより既設のモルタルと共に地山を確実に覆うことが出来るため風化の進行を防止して表層崩壊を防除することが可能となる。
【発明を実施するための最良の形態】
【００１１】
本発明に係るモルタル補強工法は、道路や宅地の法面にて施工された既設のモルタル吹付けの老朽化に伴う崩壊を防止して安定化させることができる工法である。
【００１２】
以下、本発明の一実施形態について、図面を参照して具体的に説明する。図１は、既設のモルタル吹付け面ひし形金網を設置するラス張り工程を示す断面模式図であり、図２は、ひし形金網を設置した既設のモルタル面に一体形成された連続繊維を格子状に配置する連続繊維配置工程を示し、格子状に配置した連続繊維を固定するためのアンカーを設置するアンカー設置工程を示す断面模式図であり、図３は、前記工程を終えた既設のモルタル面に新たなモルタルを吹付けるモルタル吹付け工程を示す断面模式図であり、図４は、連続繊維を格子状に配置する連続繊維配置状態を示し、格子状に配置した連続繊維を固定するためのアンカーを設置するアンカー設置位置を示す展開模式図である。
【００１３】
本実施形態のモルタル補強工法では、図１に示すように、まず、既設のモルタル吹付け２の表面にひし形金網を設置する。なお、図１中の符号１は、既設のモルタル吹付け２の背面にある地山を示している。
【００１４】
図２に示すように、ひし形金網を設置した既設のモルタル面に一体形成された連続繊維を格子状に配置する連続繊維配置した状態で、格子状に配置した連続繊維を固定するためのアンカーを設置する。
【００１５】
次に、図３に示すように、前記工程を終えた既設のモルタル面に新たなモルタルを適度な厚さに吹付ける。この工程は一般的に行われているモルタル吹付け工に順ずるため、必要となる水抜きパイプは既設のモルタルに配置されている水抜きの位置に合わせて設置するものとする。
【００１６】
次に、図４に示すように、連続繊維を格子状に配置するが、既設のモルタルや地山の状態に応じて配置の間隔や格子状に配置した連続繊維を固定するためのアンカーの間隔と本数を変更できるものとする。また、アンカーは展開模式図に示す連続繊維の交点以外の場所にも必要に応じて配置するものとする。
【図面の簡単な説明】
【００１７】
【図１】既設のモルタル吹付け面ひし形金網を設置するラス張り工程を示す断面模式図である。
【図２】ひし形金網を設置した既設のモルタル面に一体形成された連続繊維を格子状に配置する連続繊維配置工程を示し、格子状に配置した連続繊維を固定するためのアンカーを設置するアンカー設置工程を示す断面模式図である。
【図３】前記工程を終えた既設のモルタル面に新たなモルタルを吹付けるモルタル吹付け工程を示す断面模式図である。
【図４】連続繊維を格子状に配置する連続繊維配置状態を示し、格子状に配置した連続繊維を固定するためのアンカーを設置するアンカー設置位置を示す展開模式図である。
【符号の説明】
【００１８】
１  地山
２  既設のモルタル吹付け
３  ひし形金網
４  ひし形金網用アンカー
５  連続繊維
６  連続繊維固定用アンカー
７  新たなモルタル吹付け
８  連続繊維固定用アンカー設置位置
【図１】
2009228211.tif 000003
【図２】
2009228211.tif 000004
【図３】
2009228211.tif 000005
【図４】
2009228211.tif 000006